(57)【特許請求の範囲】
【請求項１】
筐体に設けられ、着脱される対象部材が収納される収納部と、
前記収納部に設けられ、前記対象部材の先端部の周面に当接し、前記対象部材に力を加えたときに前記対象部材に対し前記収納部から押し出す反力を与える当接部とを備え、
前記対象部材の先端部は、前記対象部材の本体部に対し回転可能であり、当該先端部は、側面に突起部を有し、
前記収納部には、前記突起部を収納する切り欠き部が設けられ、前記先端部を回転させることで、前記突起部が前記切り欠き部に収納される
ことを特徴とする部材着脱構造。
【請求項２】
前記収納部は前記筐体側面に形成された溝であることを特徴とする請求項１に記載の部材着脱構造。
【請求項３】
前記対象部材はアンテナであることを特徴とする請求項１または２に記載の部材着脱構造。
【請求項４】
前記アンテナは、前記筐体に一端が回動可能に固定された第一の中空部材と、
前記第一の中空部材の他端に挿通され、先端の孔を絞った第二の中空部材と、
前記第二の中空部材の前記孔より抜け出しを防止しつつ出没自在とした棒状部材とからなることを特徴とする請求項３に記載の部材着脱構造。
【請求項５】
請求項１から４のいずれか一項に記載の部材着脱構造による前記筐体及び前記対象部材を備えることを特徴とする電子機器。
【発明の詳細な説明】
【技術分野】
【０００１】
本発明は、アンテナ等の部材を筐体に対し着脱するための構造と、その部材着脱構造を備える電子機器に関する。
【背景技術】
【０００２】
従来、携帯電話機等の電子機器に出没自在に備えられたアンテナは、不使用時には筐体内部に収納し、使用時には筐体から引き出して用いるホイップ式のものであった。例えば、特許文献１では、携帯電話機ハウジングの頂部にアンテナ取付け部を設け、その中に必要な各種部品を収容し、取付け部上部からハウジング内部にかけてアンテナを挿通し、取付け部からアンテナを出没させている。このようにすると、不使用時、アンテナが筐体内部に隠れるので、携帯電話機の見た目がよい。
【特許文献１】特開平０７−３８３１６号公報
【発明の開示】
【発明が解決しようとする課題】
【０００３】
特許文献１のようなアンテナでは、電子機器の部品点数が多くなり、構造が複雑化してしまうという問題があったため、その後、筐体に収納部を設け、その収納部からアンテナを取り出すようにしたものが考えられたが、収納部からアンテナを取り出しにくくなるという問題が新たに生じた。
【０００４】
本発明の課題は、電子機器の部品点数を少なく、かつ構造を簡単にしながらも、アンテナ等の対象部材を容易に着脱できるようにすることである。
【課題を解決するための手段】
【０００５】
以上の課題を解決するため、請求項１に記載の発明は、筐体に設けられ、着脱される対象部材が収納される収納部と、前記収納部に設けられ、前記対象部材の先端部の周面に当接し、前記対象部材に力を加えたときに前記対象部材に対し前記収納部から押し出す反力を与える当接部とを備え、前記対象部材の先端部は、前記対象部材の本体部に対し回転可能であり、当該先端部は側面に突起部を有し、前記収納部には、前記突起部を収納する切り欠き部が設けられ、前記先端部を回転させることで、前記突起部が前記切り欠き部に収納されることを特徴とする。
【０００６】
請求項２に記載の発明は、請求項１に記載の部材着脱構造であって、前記収納部は前記筐体側面に形成された溝であることを特徴とする。
【０００７】
請求項３に記載の発明は、請求項１または２に記載の部材着脱構造であって、前記対象部材はアンテナであることを特徴とする。
【００１１】
請求項４に記載の発明は、請求項３に記載の部材着脱構造であって、前記アンテナは、前記筐体に一端が回動可能に固定された第一の中空部材と、前記第一の中空部材の他端に挿通され、先端の孔を絞った第二の中空部材と、前記第二の中空部材の前記孔より抜け出しを防止しつつ出没自在とした棒状部材とからなることを特徴とする。
【００１２】
請求項５に記載の発明は、請求項１から４のいずれか一項に記載の部材着脱構造による前記筐体及び前記対象部材を備えることを特徴とする。
【発明の効果】
【００１３】
本発明によれば、対象部材に回転させるような力をかけると、テコの原理により対象部材が外に跳ね上がるので、少ない部品点数かつ簡単な構造で対象部材を着脱することができる。
【発明を実施するための最良の形態】
【００１４】
以下、図を参照して本発明を実施するための最良の形態を詳細に説明する。
（実施形態１）
図１は、本発明を適用した電子機器の一実施形態の構成として、折りたたみ式携帯電話機に取り付けられたアンテナ５の着脱の状態を示したもので、１は表示部筐体、２は操作部筐体、３は二軸ヒンジユニット、４は溝、５はアンテナである。
【００１５】
表示部筐体１は表示部１１を有し、操作部筐体２は各種操作キーからなる操作部２１を有している。表示部筐体１と操作部筐体２は二軸ヒンジユニット３を介して長手方向にも短手方向にも開閉可能に結合されている。表示部筐体１の側面には、長手方向に沿って収納部である溝４が側面ほぼ一杯に形成され、溝４の中に対象部材であるアンテナ５が着脱可能に収納されている。表示部筐体１と操作部筐体２を短手方向に開くと、表示部筐体１が横向きに立てられ、表示部１１にテレビ画像を表示するようモードが切り替わる。このときアンテナ５は図１（ａ）に示すように表示部筐体１の上部に横たわる状態となる。このアンテナ５を図１（ｂ）に示すように溝４から取り出して立てることで電波の受信が可能となる。溝４の端部（図の右側）には、表示部１１のある手前側に向かって切り欠き１２が溝４と連続するように形成されている。
【００１６】
図２は表示部筐体１の背面ケース１３のみを示したものである。背面ケース１３の端部に形成される溝４の一端（図の右側）には、わずかな高さの突起である当接部４１が形成されている。この背面ケース１３を表示部筐体１に取り付けると、当接部４１は図１に示すように、丁度切り欠き１２の真後ろに位置することになる。また、溝４には当接部４１からやや離れた位置に、当接部４１よりやや高めの突起であるアンテナ押さえ４２が形成されている。溝４の他端には、アンテナ５を固定するための差込口１３ａ及びネジ孔１３ｂが形成されている。このような形で収納部を設けることにより、表示部筐体１の部品点数を減らせると共に構造を簡素にすることができる。
【００１７】
図３は表示部筐体１に取り付けられるアンテナ５の外見を、図４はアンテナ５の断面を示すもので、５１はロッド、５４はアンテナトップ、５２ａはヒンジである。アンテナ５は本体部であるロッド５１、先端部となる棒状部材のアンテナトップ５４から構成され、ロッド５１は二本の金属製のパイプを結合した構造となっている。第一のパイプ５２の一端は、ヒンジ５２ａになっていて、アンテナ５を表示部筐体１に固定するための固定部材５５の一端が連結されている。他端は径がやや狭められた状態で開口している。第二のパイプ５３は、一端に第一のパイプ５２が挿通され、他端は径が絞られて小さな孔５３ａとなっている。第一のパイプ５２及び第二のパイプ５３はカシメにより結合されている。
【００１８】
アンテナトップ５４は、細長い棒状の連結部５４ｃと、その一端に取り付けられる円筒部５４ａ、円筒部の側周面に形成された突起部５４ｂ、連結部５４ｃの他端に形成されるストッパー５４ｄから構成される。連結部５４ｃは前述の孔５３ａに摺動可能に挿通されており、孔５３ａから出没させることでアンテナ５が伸縮するようになっている。また、ストッパー５４ｄが孔５３ａで引っかかるようになっており、アンテナトップ５４が抜け落ちることはない。更に、円筒部５４ａは連結部５４ｃを回転軸としてロッド５１に対し回転させることも可能となっている。
【００１９】
ロッド５１の内部には二枚の板バネ５３ｂが取り付けられており、板バネ５３ｂの先端が連結部５４ｃの側面に圧接している。また、カム５２ｂがヒンジ５２ａ付近に取り付けられていて、カム５２ｂの先端が固定部材５５に圧接するようにバネ５２ｃによって付勢されている。
【００２０】
アンテナ５は、前述した二本の金属製のパイプからなる構成により、従来のアンテナと異なり、アンテナトップの抜け防止や、ロッドに巻き付けるための部材を必要とせず、図３に示すように、外見が細く、シンプルでデザイン性に優れたものになっている。しかも、アンテナ５は金属製のパイプの端部を絞り、カシメにより結合された構造となっているため、細くても強度的に優れたものとなっている。
【００２１】
アンテナ５の表示部筐体１への取り付けは、前述した一端がヒンジ５２ａに連結された固定部材５５の他端を図２に示す差込口１３ａに通し、固定部材５５をネジ孔１３ｂからネジ止めすることでなされる。そして、ヒンジ５２ａにより、アンテナ５は表示部筐体１に対し自在に回動させることができる。アンテナ５は最後まで倒すと溝４に収められる。このとき、アンテナトップ５４と接する箇所に、前述した当接部４１が位置する。
【００２２】
次に、アンテナ５を表示部筐体１から取り出す操作を説明する。
図５は図１のＡ−Ａに沿った切断面の矢視端面図で、（ａ）は収納時、（ｂ）は取り出し時の状態を示しており、図６は、図５（ａ）、（ｂ）に対応する斜視図を示している。アンテナ５の収納時、アンテナトップ５４の突起部５４ｂが前述の切り欠き１２にはまり込むため、表示部筐体１表面に不要な凹凸が生じず外見がすっきりとしている。
【００２３】
まず、爪を突起部５４ｂにかけて手前に引くと、円筒部５４ａが位置を変えずに矢印で示す方向に回転し突起部５４ｂが起き上がる。更に突起部５４ｂをそのまま同じ方向に回転させると、突起部５４ｂの側面で当接部４１に当接する。更にアンテナトップ５４に回転を加えようとすると、突起部５４ｂと当接部４１の接点を支点、突起部５４ｂを力点とするテコの原理が働き、円筒部５４ａおよびロッド５１が、外に向かって押し出され、跳ね上がる。このような仕組みにすることで、部品点数を少なく、構造を簡単にしても、アンテナを容易に取り出すことができる。
【００２４】
本実施形態のアンテナ５のように、アンテナ５の先端部（アンテナトップ５４）のみを回転可能としたことで、アンテナ５の一端が表示部筐体１に固定されていても、アンテナ５に回転力をかけることができる。また、アンテナトップ５４に突起部５４ｂを形成したことで、アンテナトップ５４に爪がかけ易くなり、アンテナトップ５４を容易に回転させることができる。更に、当接部４１はアンテナトップ５４に当接する位置、すなわち、ヒンジ５２ａから最も離れた位置に形成されているので、最小の力でアンテナ５を押し出すことができ、容易にアンテナ５を取り出すことが出来ると共に、収納する際にも当接部４１が邪魔にならず、溝４の自由度が高まるので、アンテナ５を溝４に収納し易くなる。
【００２５】
跳ね上がったアンテナ５は指でつまんで回動させ、任意の角度に立て方を調節した後、アンテナトップ５４を伸ばして使用する。アンテナ５を表示部筐体１に対して回動させると、固定部材５５とカム５２ｂとの間で一定の摩擦力が生じ、アンテナ５を回動させるために常に一定の荷重が必要となるので、アンテナ５を任意の角度で静止させることができる。また、アンテナトップ５４を伸縮させると、連結部５４ｃと板バネ５３ｂとの間で一定の摩擦力が生じ、アンテナ５を伸縮させるために常に一定の荷重が必要となるので、アンテナ５を任意の長さで静止させることができる。このため、電波の受信具合の調節が容易である。
【００２６】
アンテナ５を収納するには、アンテナ５を指で倒してそのまま溝４に押し込み、次いで突起部５４ｂを倒して切り欠き１２の中に収め、図５（ａ）の状態に戻すだけでよい。
収納されたアンテナ５は、前述のアンテナ押さえ４２に押さえられ、勝手に飛び出すことはない。また、収納されていてもアンテナ５の側面が外部に露出するが、前述したようにアンテナ５の外見がデザイン性に優れているので、携帯電話機全体の外見を損なうことがない。また、アンテナ５は前述の通り強度的に優れているので、以上説明してきたような着脱を劣化することなく長期間繰り返すことができる。
【００２７】
（実施形態２）
本発明を適用した部材着脱構造はアンテナに限らず、例えば、ＰＤＡや電子辞書等のように、表示部が備えられ、その表示部をタッチして操作する電子機器において、表示部をタッチするためのタッチペンを電子機器の筐体に着脱自在に収納する場合にも応用することができる。
【００２８】
（変形例）
なお、以上の実施形態においては、携帯電話のアンテナ及び、ＰＤＡや電子辞書のタッチペンとしたが、本発明はこれに限定されるものではなく、カメラ、ノートＰＣ、ウェアラブルＰＣ、電卓等の他の電子機器において、他の部材の着脱に用いても良い。
パイプの結合も、接着剤で張り合わせる、溶着させる等の方法に変更しても差し支えない。
また、対象部材の形状や、収納部を設ける位置等も任意であり、その他、具体的な細部構造等についても適宜に変更可能であることは勿論である。
【図面の簡単な説明】
【００２９】
【図１】本発明に係る部材着脱構造を、携帯電話のアンテナに適用した場合を示す斜視図である。
【図２】本発明に係る部材着脱構造における、収納部および当接部を示す正面図及び斜視図である。
【図３】本発明に使用するアンテナを示す斜視図である。
【図４】本発明に使用するアンテナを示す断面図である。
【図５】アンテナの着脱の仕組みを示す図１のＡ−Ａ矢視端面図である。
【図６】図５（ａ）、（ｂ）に対応する斜視図である。
【符号の説明】
【００３０】
１  表示部筐体
１２  切り欠き
１３  背面ケース
１３ａ  差込口
１３ｂ  ネジ孔
２  操作部筐体
４  溝（収納部）
４１  当接部
４２  アンテナ押さえ
５  アンテナ（対象部材）
５１  ロッド（本体部）
５２  第一のパイプ（第一の中空部材）
５２ａ  ヒンジ
５２ｂ  カム
５２ｃ  バネ
５３  第二のパイプ（第二の中空部材）
５３ａ  孔
５３ｂ  板バネ
５４  アンテナトップ（先端部、棒状部材）
５４ａ  円筒部
５４ｂ  突起部
５４ｃ  連結部
５４ｄ  ストッパー
５５  固定部材
【図１】
0005136897.tif 000002
【図２】
0005136897.tif 000003
【図３】
0005136897.tif 000004
【図４】
0005136897.tif 000005
【図５】
0005136897.tif 000006
【図６】
0005136897.tif 000007